【事件の表示】
　特許第３２７９９４８号「ウオッシャブルマット」の請求項１ないし６に係る特許に対する特許異議の申立てについて、次のとおり決定する。
【結　論】
　訂正を認める。
　特許第３２７９９４８号の請求項１ないし６に係る特許を取り消す。
【理　由】
〔１〕手続の経緯
　特許第3279948号の請求項１〜６に係る発明についての出願は、平成９年２月14日に特許出願され、平成14年２月22日にその発明についての特許権の設定登録がされ、その後、その特許について、異議申立人・フランスベッド株式会社より特許異議の申立てがされ、平成15年３月３日に取消しの理由が通知され、その指定期間内である平成15年５月16日に訂正請求がされたものである。
　
〔２〕訂正の適否についての判断
(1)訂正の内容
　ア．訂正事項ａ
　特許請求の範囲の請求項１の記載中「ポリオレフィン系合成樹脂発泡成形体からなるマット用芯材」を
「ポリオレフィン系合成樹脂発泡成形体
の単一層のみ
　イ．訂正事項ｂ
　明細書の段落【0007】中「ポリオレフィン系合成樹脂発泡成形体からなるマット用芯材」を
「ポリオレフィン系合成樹脂発泡成形体
の単一層のみ
　ウ．訂正事項ｃ
　明細書の段落【0008】中「ポリオレフィン系合成樹脂発泡成形体からなるマット用芯材」を
「ポリオレフィン系合成樹脂発泡成形体
の単一層のみ
　
(2)訂正の目的の適否、新規事項の有無及び拡張・変更の存否
　上記訂正事項ａは、請求項１に記載された発明において、マット用芯材を「単一層のみ」からなるものに限定しょうとするものであるから、特許請求の範囲の減縮を目的とするものであり、上記「単一層のみ」は、願書に添付された明細書の段落【0009】及び図１に記載されているものと認められるから、新規事項の追加に該当しない。
　上記訂正事項ｂ、ｃは、上記訂正事項ａの訂正にともない明細書の記載を整合させるものであるから、明りょうでない記載の釈明を目的とするものであり、新規事項の追加に該当しない。
　そして、上記いずれの訂正も実質的に特許請求の範囲を拡張又は変更するものではない。
　
(3)むすび
　したがって、上記訂正は、特許法第120条の４第２項及び同条第３項で準用する同法第126条第２項及び第３項の規定に適合するので、当該訂正を認める。
　
〔３〕特許異議の申立てについての判断
(1)本件発明１〜６
　上記〔２〕で示したように上記訂正が認められるから、本件の請求項１〜６に係る発明（以下、「本件発明１〜６」という。）は、上記訂正に係る訂正明細書の特許請求の範囲の請求項１〜６に記載された次の事項により特定されるとおりのものである。
「【請求項１】ポリオレフィン系合成樹脂発泡成形体の単一層のみからなるマット用芯材をゴミやホコリを通過させるサイズの目を有するネット状の外装袋のみにより被包したことを特徴とする、マット用芯材をネット状外装袋に被包したまま洗濯可能で短時間で乾燥可能なウオッシャブルマット。
【請求項２】ネット状の目のサイズが0.5〜10mmである請求項１記載のウオッシャブルマット。
【請求項３】ネット状の目のサイズが1〜3mmである請求項１記載のウオッシャブルマット。
【請求項４】マット用芯材に抗菌処理を施した請求項１〜３のいずれか１項に記載のウオッシャブルマット。
【請求項５】マット用芯材に消臭処理を施した請求項１〜４のいずれか１項に記載のウオッシャブルマット。
【請求項６】マット用芯材に防汚処理を施した請求項１〜５のいずれか１項に記載のウオッシャブルマット。」
　
(2)引用刊行物に記載された発明
　当審で通知した取消しの理由で引用した刊行物１（実願昭59-97343号（実開昭61-11365号）のマイクロフィルム、異議申立人の提出した甲第１号証）には、マットに関して、第１〜４図とともに以下の事項が記載されている。
ア．「１．メッシュ生地が積層されたマット本体の表裏の少くとも一方の面が、上記メッシュ生地よりも目の細かいメッシュカバーで包被されるとともに、マット本体とメッシュカバーが縫着されたことを特徴とするマット。
２．メッシュ生地が約2.5mm〜約1cmのメッシュ寸法を有し、メッシュカバーが約0.5mm〜約2mmのメッシュ寸法を有する実用新案登録請求の範囲第１項記載のマット。」（実用新案登録請求の範囲の請求項１、２）
イ．「本考案に係るマットは、マット本体およびマット本体を包被するカバーが、共にメッシュ生地であるため、通気性を有し、身体から発散される汗などの水分がメッシュ生地の孔を通じて放散しやすい。一方、マット本体は、目の細かいメッシュカバーで包被されているため、体温等で温められたマット本体からの放熱が妨げられ、保温性を有する。特に、メッシュ生地に、プラスチック発泡体のメッシュ生地を用いたものは、プラスチック発泡体が断熱保温性を有するため、保温性が大きい。」（明細書第４頁第11行〜第５頁第４行）
ウ．「第１図中、符号(1)は目の粗いポリエステル製のメッシュ生地であり、このメッシュ生地(1)は、第２図に示すようなメッシュ寸法が約5mmの生地であり、弾力性等を付与するため、生地の目の位置が互いに異なるよう、ランダムに上記メッシュ生地(1)が８枚重ねて積層され、厚さが約5mmのマット本体(2)を構成している。上記メッシュ生地はポリエステル製に限らず、ナイロン，ポリウレタン，ポリプロピレンなどの化繊糸，綿糸，毛糸などの天然繊維の糸，混毛糸やこれらの樹脂加工糸あるいはポリプロピレン製シート等を打抜き、成形手段等によりメッシュを形成させたものなどいずれであってもよい。」（明細書第６頁第５〜18行）
エ．「上記メッシュカバーのメッシュ寸法は、上記のものに限らず、約0.5mm〜約2mmのものすなわち、1cm2当り約20〜約400のメッシュ数を有するものが好ましい。約0.5mm以下であると、通気性に欠け、また約2mm以上であると、保温性、皮膚との感触性に欠ける。また、マット本体は、両面を使用可能とするため上記メッシュカバーで表裏両面が包被されたものが好ましいが、少なくとも一方の面が包被されていればよい。このように目の細かいメッシュカバー(3)で包被されたマット本体(2)はメッシュ生地(1)、メッシュカバー(3)のずれや皺の発生を防ぐため、周縁部が布(4)で被装されるとともに縫着され、マット本体(2)とメッシュカバー(3)が一体となっている。」（明細書第８頁第14行〜第９頁第11行）
オ．「上記プラスチック発泡体のメッシュ生地は、片状，棒状等の発泡体を編成したり、接着等の手段でメッシュ状に積層したもの、あるいは発泡シートを打抜，成形等の手段でメッシュを形成させたものでもよい。」（明細書第10頁第14〜18行）
カ．「本考案に係るマットは、上記のようにメッシュ生地等で構成されているため通気性がよく、病床などにあっても湿気を帯びることがなく、乾燥状態に保つことができ衛生的である。また洗濯時の水切れがよく、乾燥が速いため、使用するのに便利である。また、マット本体は、メッシュカバーで覆われているため、保温性が大きく、身体を冷やすことがない。」（明細書第12頁第１〜９行）
　上記の記載及び図面を総合すると、刊行物１に記載された発明（以下、「引用発明」という。）は、以下のとおりのものと認められる。
「ポリプロピレンからなるメッシュ生地(1)が積層されたマット本体(2)を、メッシュ寸法が約0.5mm〜約2mmのサイズの目を有するメッシュカバー(3)のみにより包被したことを特徴とする、洗濯時の水切れがよく、乾燥が速い、マット。」
　
　同じく刊行物２（登録実用新案第3032990号公報）には、敷布団に関して、図１、２とともに以下の事項が記載されている。
ア．「このために、中芯として、中綿に替わる各種材料が提案されている。例えば、登録実用新案公報第3006231号には、ポリエチレン、ポリプロピレン等の合成樹脂発泡体によって薄板状の中芯を構成して、中芯を中綿によって巻回した敷布団が開示されている。」（段落【0003】）
イ．「実開平7-30807号公報には、独立気泡型の発泡ポリオレフィンマットレスを中芯として、その表面および裏面に中綿層を配置した敷布団が開示されている。このように、中芯に、独立気泡型の合成樹脂発泡体を使用すると、軽量であって弾力性が大きく、しかも、弾力性が経時的に低下することも抑制されるという利点がある。」（段落【0006】）
ウ．「本考案の敷布団は、上下方向に貫通する多数の不連続なスリットがそれぞれ設けられており、独立気泡型の合成樹脂発泡体によって１枚のシート状に一体成形された複数の芯材シートを重ねて構成された中芯と、通気性シート、中綿層およびカバーが積層されて構成されており、前記中芯を被覆する外皮と、を具備することを特徴とする。」（段落【0009】）
　
　同じく刊行物３（特開平7-80030号公報、異議申立人が提出した甲第２号証）には、床ずれ予防マットに関して、図１、２とともに以下の事項が記載されている。
ア．「本発明は上記の点に鑑み、抗菌性付与繊維と熱接着性繊維を加熱加工して、マットとしての立体的繊維構造を強固に保持し、少なくとも一方の面に凹凸状のマットパターンを形成し、これをカバーで被覆した、床ずれ予防マットを開発したものであり、立体的繊維構造の優れた通気性によって発汗による湿気を放湿し、同立体的繊維構造の嵩高性に優れ腰が強くへたりのない特性と凹凸状のマットパターンによって体圧の分散をはかって、極めて寝心地が良く、抗菌性付与繊維により菌の発生及び増殖を抑制して清潔に保持でき、また簡単に洗濯ができ、上記の結果、床ずれ予防に優れた効果を発揮し得る、床ずれ予防マットを提供するものである。」（段落【0005】）
　
　同じく刊行物４（実用新案登録第2505344号公報、異議申立人の提出した甲第３号証）には、マットレスに関して、図１〜４とともに以下の事項が記載されている。
ア．「発泡ポリオレフィンからなる芯材と、その表裏両面に配置された中綿層、及び表面側中綿層上に設けられた消臭性，抗菌防臭性，防かび性を有するポリウレタンシート（以下単に消臭シートと略す）とからなる積層体と、複数並置した該積層体相互間に固着した断面が角柱状の弾性発泡体とからマットレス基体を形成し、該マットレス基体の表裏両面に側地を当接縁縫いした。」（段落【0005】）
イ．「１はこの考案のマットレス２の芯材で、ビーズ法型内成型で成形された完全独立気泡からなり、吸水性が０に近く、衝撃吸収性，耐油性，耐薬品性，耐熱性に富み、かつ熱伝導性が低く、保温性が高く、形状材質の変化が殆どない、厚さが約40mmの発泡ポリオレフィンマットレス、例えば鐘淵化学工業株式会社製、商品名「エペラン」として知られるポリエチレン発泡体，ポリプロピレン発泡体が用いられる。」（段落【0009】）
　
　同じく刊行物５（特開平7-67758号公報、異議申立人の提出した甲第４号証）には、抗菌性防汚シーツ材に関して、以下の事項が記載されている。
ア．「本発明者は、抗菌処理を施した繊維基材上に、ポリエーテル系ポリウレタン接着剤層を介して、抗菌性セラミック粒子を配合したポリフッ化ビニリデン系フィルムをラミネートすることにより、ソフトな風合いを有し耐洗濯性、耐黄変性にすぐれた抗菌性防汚シーツ材が得られることを見出して、本件発明に至ったものである。」（段落【0004】）
　
(3)対比・判断
ア．本件発明１について
　本件発明１と引用発明を対比すると、後者の「ポリプロピレン」は、前者の「ポリオレフィン系合成樹脂」に相当し、後者の「マット本体(2)」は、前者の「マット用芯材」に相当するものと認められ、後者の「メッシュ寸法が約0.5mm〜約2mmのサイズの目を有するメッシュカバー」は、そのサイズによりゴミやホコリを通過させ得ることは明らかであるから、前者の「ゴミやホコリを通過させるサイズの目を有するネット状の外装袋」に相当するものと認められ、後者の「包被」は前者の「被包」に相当し、後者の「洗濯時の水切れがよく、乾燥が速い、マット」は、前者の「マット用芯材をネット状外装袋に被包したまま洗濯可能で短時間で乾燥可能なウオッシャブルマット」に相当するものと認められる。
　そうすると、両者は、「ポリオレフィン系合成樹脂からなるマット用芯材をゴミやホコリを通過させるサイズの目を有するネット状の外装袋のみにより被包したことを特徴とする、マット用芯材をネット状外装袋に被包したまま洗濯可能で短時間で乾燥可能なウオッシャブルマット」の点で一致しており、以下の点で相違する。
（相違点１）
　マット用芯材において、前者は、「発泡成形体」で構成したのに対し、後者は、「メッシュ生地」である点。
（相違点２）
　マット用芯材について、前者は、「単一層のみ」から構成したのに対し、後者は、「積層」された構成である点。
　上記相違点について検討する。
　上記相違点１について、合成樹脂のマット用芯材を、発泡成形体で構成することは、当該技術分野における周知技術（上記刊行物２、４参照。）であり、引用発明に上記周知技術を適用することに何ら困難性は認められない。
　上記相違点２について、マット用芯材を多層構造に代えて、単一層とすることは、当業者が適宜採用しうる選択的事項である。（ちなみに、実公昭55-44535号公報第４図、実願平1-126847号（実開平3-64558号）のマイクロフィルム第１図においては、「単一層のみからなるマット用芯材」が図示されている。）
　　
　また、本件発明１の作用効果についても、引用発明及び刊行物２、４に記載された発明に基いて当業者が容易に予測しうる程度の作用効果であって格別のものではない。
　
イ．本件発明２について
　本件発明２は、本件発明１に「ネット状の目のサイズが0.5〜10mmである」ことを限定するものであるが、引用発明には、ネット状の目のサイズが本件発明２の範囲内のものが記載されているから、上記ア．で述べた同じ理由により、引用発明及び刊行物２、４に記載された発明に基いて当業者が容易に発明をすることができたものである。
　
ウ．本件発明３について
　本件発明３は、本件発明１に「ネット状の目のサイズが1〜3mmである」ことを限定するものであるが、引用発明には、ネット状の目のサイズが本件発明２の範囲内のものが記載されているから、上記ア．で述べた同じ理由により、引用発明及び刊行物２、４に記載された発明に基いて当業者が容易に発明をすることができたものである。
　
エ．本件発明４について
　本件発明４は、本件発明１〜３に「マット用芯材に抗菌処理を施した」点を限定したものあるが、マット用芯材に抗菌処理を施すことは周知技術（上記刊行物３参照。）であり、引用発明に上記周知技術を適用することに何ら困難性は認められないから、引用発明及び刊行物２、３、４に記載された発明に基いて当業者が容易に発明をすることができたものである。
　
オ．本件発明５について
　本件発明５は、本件発明１〜４に「マット用芯材に消臭処理を施した」点を限定したものであるが、マット用芯材に消臭処理を施すことは、周知技術（上記刊行物４参照。）であり、引用発明に上記周知技術を適用することに何ら困難性は認められないから、引用発明及び刊行物２、３、４に記載された発明に基いて当業者が容易に発明をすることができたものである。
　
カ．本件発明６について
　本件発明６は、本件発明１〜５に「マット用芯材に防汚処理を施した」点を限定したものであるが、マット用芯材に防汚処理を施すことは、周知技術（上記刊行物５参照。）であり、引用発明に上記周知技術を適用することに何ら困難性は認められないから、引用発明及び刊行物２、３、４、５に記載された発明に基いて当業者が容易に発明をすることができたものである。
　
〔４〕むすび
　以上のとおりであるから、本件発明１〜６は、引用発明及び上記刊行物２〜５に記載された発明に基いて当業者が容易に発明をすることができたものであるから、本件発明１〜６についての特許は、特許法第29条第２項の規定に違反してされたものである。
　したがって、本件発明１〜６についての特許は、特許法第113条第２号に該当し、取り消されるべきものである。
　よって、結論のとおり決定する。
【異議決定日】
平成１５年６月１２日（２００３．６．１２）
【訂正の要旨】
審決（決定）の【理由】欄参照。
（５４）【発明の名称】
ウオッシャブルマット
（５７）【特許請求の範囲】
　【請求項１】　ポリオレフィン系合成樹脂発泡成形体
の単一層のみ
　【請求項２】　ネット状の目のサイズが０．５〜１０ｍｍである請求項１記載のウオッシャブルマット。
　【請求項３】　ネット状の目のサイズが１〜３ｍｍである請求項１記載のウオッシャブルマット。
　【請求項４】　マット用芯材に抗菌処理を施した請求項１〜３のいずれか１項に記載のウオッシャブルマット。
　【請求項５】　マット用芯材に消臭処理を施した請求項１〜４のいずれか１項に記載のウオッシャブルマット。
　【請求項６】　マット用芯材に防汚処理を施した請求項１〜５のいずれか１項に記載のウオッシャブルマット。
【発明の詳細な説明】
　【０００１】
　【発明の属する技術分野】
　本発明はウオッシャブルマットに関し、更に詳しくは、外装袋からマット用芯材を取り出すことなく、外装袋に収納したまま洗濯可能な、清潔で衛生的なウオッシャブルマットに関する。
　【０００２】
　【従来の技術】
　従来、伝統的寝具としては、綿を布製袋内に収納してなる布団が広く使用されてきたが、近年、柔か過ぎによる健康への悪影響が指摘され、発泡合成樹脂からなるマットが健康マットとして普及してきている。
　【０００３】
　発泡合成樹脂製マットは、ポリエチレン等の発泡成形体からなるマット用芯材を布製外装袋内に収納してなるが、軽量で取り扱い性に優れるとともに、撥水性を有するため、失禁したり食物をこぼしたりした場合においても内部にまで浸透することがなく、外装袋内からマット用芯材を取り出し、その表面を拭き取るだけできれいになり、常に清潔な状態に維持し易いため、特に病人用や病院用のマットとして適している。
　【０００４】
　しかし乍ら、失禁や食物によりマットを汚す度に外装袋内からマット用芯材を取り出し、外装袋を洗濯するとともに、マット用芯材の汚染部分を拭き取り、その後マット用芯材を再び外装袋内に収納することは甚だ面倒であり、また外装袋は布製であるため、乾かすまでに長時間を要し、その間は使用できないという問題がある。
　【０００５】
　更には、近時、院内感染が大きな社会問題としてクローズアップされている。この問題に対しては、マットを可能な限り清潔な状態に保持する必要があり、そのためには恰も下着を洗濯するかの如く、マットを頻繁に洗濯できることが望ましい。
　しかるに、上記したように、外装袋内からマット用芯材を取り出し、外装袋は洗濯し、マット用芯材は洗濯した後、再び外装袋内に収納するという従来の方法では手間と時間が掛り過ぎ到底実用的であるとは云い難い。
　【０００６】
　【発明が解決しようとする課題】
　本発明は、上記課題を解決し、外装袋内からマット用芯材を取り出すことなく、外装袋内に収納したままで容易且つ短時間で洗濯可能なマットを提供するものである。
　【０００７】
　【課題を解決するための手段】
　本発明はかかる実情に鑑み上記問題を解消するべく鋭意研究の結果、ポリオレフィン系合成樹脂発泡成形体
の単一層のみ
　【０００８】
　即ち、本発明は、ポリオレフィン系合成樹脂発泡成形体
の単一層のみ
　尚、本発明において、マットという語は通常のマットよりも高さを大きくして、床や畳上に直接置いて使用されるポリオレフィン系合成樹脂発泡成形体を芯材としてなるベッドを包含するものとして使用される。
　【０００９】
　【発明の実施の態様】
　本発明を実施例を示す図面に基づいて説明すると、図１において、本発明のウオッシャブルマット１は、ポリオレフィン系合成樹脂発泡成形体からなるマット用芯材２をネット状の外装袋３により被包してなる。
　【００１０】
　マット用芯材２は、例えばポリエチレン、ポリプロピレン、これらの共重合樹脂等のポリオレフィン系合成樹脂の発泡成形体が、適度な緩衝性と剛性を兼ね備えている点から好ましい。これらの樹脂からなる型内発泡成形体又は押出発泡成形体が好適に用いられる。
　【００１１】
　マット用芯材２は通気性や指圧効果を確保するために、表面を波形状としたり、膨出部を多数設けた形状としてもよいし、また更にこの波形状部や膨出部の頂部付近の表面に指圧効果を目的とした親指大の小突起を設けてもよい。更には、芯材の縦又は斜め方向に貫通孔を穿設して更に通気性を高めることもできる。更にまた、例えば、一つの面をフラットとし、他の面を波形状として、表裏両面を使い分けることも可能である。
　【００１２】
　マット用芯材２は１枚タイプでもよいが、必要に応じ、２枚、３枚等の分割タイプとすることができる。分割タイプは取り扱い性が良く、また不使用時には分割して納戸や押入れに収納できる利点がある。
　【００１３】
　マット用芯材２には、抗菌処理や消臭処理を施すのが好ましい。抗菌剤や消臭剤は公知のものが用いられるが、抗菌作用及び消臭作用を有するものとして、二酸化ケイ素系（ＳｉＯ２）、アルミナ系（Ａｌ２Ｏ３）、チタニア系（ＴｉＯ２）、ジルコニア系（ＺｒＯ２）、フェライト系（Ｆｅ２Ｏ３）等の他、蛇紋石（マグネシウムの含水ケイ酸塩鉱物）や電気石（トルマリン）〔３｛ＮａＸ３Ａｌ６（ＢＯ３）Ｓｉ６Ｏ１８（ＯＨ９Ｆ）４｝等のセラミック粉末が挙げられる。抗菌剤としては、金、銀、銅、亜鉛等の粉末、これらのイオン、硫酸銅、硫化第一銅、硫化第二銅等の銅化合物、ジセニールエーテル化合物等が挙げられる。これらは、単独又は２種以上組み合わせて用いられる。
　【００１４】
　消臭剤としては、化学的作用によるものとしては、硫酸鉄や塩酸鉄等のように脱硫作用により消臭効果を発揮するもの、酸化剤や還元剤等のように酸化・還元作用により消臭効果を発揮するもの、ラウリルメタクリレートやフマル酸エステル等のように縮合又は付加反応により消臭効果を発揮するもの等が挙げられ、また物理的作用によるものとしては、活性炭、ゼオライト、シリカゲル等臭気を多孔質表面に吸着して消臭効果を発揮するもの等が挙げられ、これらは単独又は２種以上組み合わせて用いられる。化学的作用による消臭剤と物理的作用による消臭剤とを併用することもできる。
　【００１５】
　これらの抗菌剤や消臭剤はマット用芯材中に含有（練り込み）させるか、又はバインダー樹脂と溶剤とからなる溶液中に分散又は溶解させてコーティング液を調製し、これをマット用芯材の表面に塗布、乾燥させる。
　【００１６】
　また、マット用芯材２には、防汚処理を施すのが好ましい。防汚剤としては公知のものが使用できるが、安全性の面からシリコーン化合物が好ましい。防汚剤もマット用芯材中に含有（練り込み）させるか、又はマット用芯材の表面にコーティングされる。防汚処理を施すことにより、マット用芯材が汚れにくく、また汚れても容易に除去することができる。
　【００１７】
　ネット状の外装袋３は、マット用芯材に付着又は蓄積したゴミやホコリが雑菌とともに外装袋のネット状の目から除去できるものであれば特に制限されないが、ネット状の目が大きすぎると美観を損ない、一方、小さすぎるとゴミやホコリ等の除去が困難になるので、ネット状の目のサイズは０．５〜１０ｍｍ程度、好ましくは１〜３ｍｍ程度のものである。ネット状の目の形状は円、楕円、多角形、無定形等任意の形状でよく、またネット状の目の配置も特に制限されないが、レース状のものが美観に優れている点で好ましい。
　【００１８】
　ネット状外装袋３についても、マット用芯材と同様、抗菌、消臭処理や防汚処理を施すことが好ましい。即ち、抗菌繊維や消臭繊維、防汚繊維からなるネット状外装袋を用いるか、又はネット状外装袋に後から二次加工として抗菌、消臭処理又は防汚処理を施す。
　【００１９】
　本発明のウオッシャブルマットは、必要に応じ、シーツと共に用いられるが、該シーツは容易に取り除ける構造のものが好ましい。ファスナー付き袋状シーツ等の、容易に取り除けない構造のものは、洗濯の際に、シーツを取り除くのが面倒であり、本発明のウオッシャブルマットの目的を減少させることになる。
　【００２０】
　容易に取り除けるシーツとしては、平面状のシーツをウオッシャブルマットに掛け、周囲をマット裏面に敷き込んで使用するとか、また分割タイプのマットの場合は各マット片の離散を防止する目的からも、図２に示す如く、長さ方向の両端部に凹状収容部５ａ、５ｂを備えたシーツ４を用い、図３に示す如く、両端部のマット片６ａ、６ｃの端部を凹状収容部５ａ、５ｂにそれぞれ収容して使用するのが好ましい。かかる構造のシーツ４は、例えば真中のマット片６ｂを取り除くことによりシーツ４は弛緩し、容易にマット片６ａ、６ｂ、６ｃから取り除くことができる。
　シーツもネット状外装袋と同様、抗菌繊維や消臭繊維、防汚繊維からなるシーツを用いるか、又はシーツに後から二次加工として抗菌、消臭処理又は防汚処理を施すことが好ましい。
　【００２１】
　本発明のウオッシャブルマットを洗濯する方法としては特に制限されないが、マット又はマット片（以下、マットと記す）に放水、好ましくは圧力を高めた水（低〜高圧水）を吹きつける方法、洗濯槽の中にマットを入れマット又は水を動かして通常の洗濯機と同様に洗濯する方法等が挙げられる。勿論、水の中には洗剤や殺菌又は抗菌剤等を投入してもよいし、ブラシ等の物理的に汚れを落とす方法を併用してもよい。勿論、水の代わりに湯を用いてもよい。洗濯後は大気中又は乾燥室内で乾かせばよい。この場合、天日で乾かすとマット用芯材の発泡セル中に太陽エネルギーが蓄積され、長時間に亘って暖かく、特に冬季などに好適である。本発明のウオッシャブルマットはマット用芯材が非吸湿性であり且つ撥水性に優れる上、外装袋もネット状であるので極めて短時間で乾き、例えば病人が診察中とか散歩中とかの極めて短時間で洗濯することができる。洗濯したウオッシャブルマットは、必要に応じ、抗菌、消臭処理又は防汚処理を施す。
　【００２２】
　【発明の効果】
　叙上のとおり、本発明のウオッシャブルマットは、外装袋内からマット用芯材を取り出すことなく、そのままで洗濯できるので、手間が掛からず、恰も下着を洗濯するかの如く、容易に洗濯できる。しかも短時間で乾くので、洗濯によりマットの使用できない時間が非常に短くてすむ。
　今後、急速に老齢化社会に移行する中で、寝たきり老人や病人の増加が予測されるが、マットを簡単に洗濯して清潔にし、快適な生活を確保するとともに、院内感染を防止することは極めて重要であり、本発明はかかる要請に貢献するところ大である。
【図面の簡単な説明】
　【図１】
　本発明の実施例を示す概略図である。
　【図２】
　本発明のマットに用いられるシーツの一例を示す概略図である。
　【図３】
　本発明の他の実施例を示す概略図である。
　【符号の説明】
　１　ウオッシャブルマット
　２　マット用芯材
　３　ネット状外装袋
　４　シーツ
　５ａ、５ｂ　凹状収容部
　６ａ、６ｂ、６ｃ　マット片